(57)【特許請求の範囲】
【請求項１】
ＪＩＳ２３５１に規定するポリウレタン樹脂で銅線を被覆した線状体より成り、接触することにより水を還元する水の還元器。
【請求項２】
線状体が螺旋状に多数回巻回されたことを特徴とする請求項１に記載された水の還元器。
【請求項３】
螺旋状に多数回巻回した線状体をさらに環状に湾曲して環状コイルとすると共に、該環状コイルの内周側部分を一体に結束したことを特徴とする請求項２に記載された水の還元器。
【発明の詳細な説明】
【０００１】
【発明の属する技術分野】
本発明は、飲料水、浴槽の水、水性切削油等を還元して酸化を防止する水の還元器に関する。
【０００２】
【従来の技術】
水は長期間放置しておくと酸化して滑りを生ずると共に悪臭を発するようになる。例えば、水をはっておいた浴槽の内面はヌルヌルして悪臭が発生するし、花瓶内の花の茎は導管が塞がれて水揚げが悪くなり、魚用の水槽では水垢がこびりついて魚の成育が阻害される。
また、ＮＣ工作機械では一般的に多量の水性切削油を循環しながら使用するのであるが、何度も繰り返し使っている間にこの水性切削油が酸化して嫌な匂いを発生するようになる。
【０００３】
このような不都合を解消するために、従来は、１．水を頻繁に交換する、２．薬品によって水垢を取る、３．添加した薬品の色と臭いでごまかす、４．循環器具を使用する等の様々な手段が用いられていた。
しかし、１．の方法は水資源の無駄に繋がると共に多大な労力を必要とし、２．の方法は環境に対する負荷が大きく、３．の手段では根本的な解決にならないという欠点がある。また、４．の方法は非常に費用がかかるばかりか取り付け工事にも手間を要するものである。
【０００４】
【発明が解決しようとする課題】
本発明は、水を還元して酸化を防ぐことによって、水を長期間使用可能とすると共に、水を入れる容器にヌメリが発生するのを防ぎ、これにより、水資源を有効に活用することができ、しかも、廉価で手軽に使用することが可能であり、環境に悪影響を与えることがない水の還元器を提供することを目的とする。
【０００５】
【課題を解決するための手段】
本発明の水の還元器は、上記課題を達成するために、ＪＩＳ２３５１に規定するポリウレタン樹脂で銅線を被覆した線状体で構成され、接触することにより水を還元する。
また、線状体を螺旋状に多数回巻回したり、それを環状に湾曲して環状コイルを構成すると共に、環状コイルの内周側部分を一体に結束することがある。
【０００６】
【作用】
なぜ、ＪＩＳ２３５１に規定するポリウレタン樹脂で銅線を被覆した線状体が水を還元するのか明確ではないが、ＪＩＳ２３５１に規定するポリウレタン樹脂の触媒作用によって水中の活性酸素が減少するためではないかと考えられる。
【０００７】
また、ポリウレタン樹脂で銅線を被覆したことによって、巻回加工し易くなると共に、銅が錘となって水の還元器が水中に沈む。
さらに、線状体を多数回巻回したことによって、ポリウレタン樹脂と水との接触面積が広くなる。
【０００８】
【発明の実施の形態】
水の還元器１はＪＩＳ２３５１（エナメル線用ワニス）に規定するポリウレタン樹脂で銅線を被覆した線状体より成るが、好ましくは、図１及び図２に示すように、ＪＩＳ２３５１に規定するポリウレタン樹脂で銅線を被覆したポリウレタン樹脂被覆金属線２を多数回巻回して形成される。
このポリウレタン樹脂被覆金属線２は、図３に示すように、ＪＩＳ２３５１（エナメル線用ワニス）に規定するポリウレタン樹脂３を０．４５mm径の銅線４の周囲に１０μ以上の一様な厚さで被覆して構成されている。本実施例では、ポリウレタン樹脂３として、カシュー株式会社製ストロンエース８番（商品名）のクリアー又はエナメル等のように、主剤にアクリルを、硬化剤にイソシアネートをそれぞれ用いたアクリルウレタン樹脂を使用した。
【０００９】
水の還元器１は次のように成形される。
まず、図４に示すように、ポリウレタン樹脂被覆金属線２を全体の重量が約３０〜４０ｇとなるように螺旋状に巻いて直径２５〜３０ｍｍ程度の直線状のコイル５を形成する。
【００１０】
次いで、図５に示すように、コイル５の中心部にポリウレタン樹脂被覆金属線２と同じ材質の締結線６を通し、該締結線６を引き絞りながら複数回コイル５の中心部に通してコイル５を環状に湾曲させ、環状コイル７を形成する。
最後に、締結線６の両端を縛り、環状コイル７の内周側において、ポリウレタン樹脂被覆金属線２の一部である多数の平行な円弧部分を一体に結束し、図１及び図２に示す水の還元器１を形成する。
【００１１】
なお、ポリウレタン樹脂被覆金属線２の先端及び締結線６の先端をパイプ８でくるむと共に、コイル５の内側に収納して、水の還元器１を裸足で踏んでも足を傷付けることがないようにする。
【００１２】
この水の還元器１の還元効果を調べるために、神奈川県産業研究試験場において分子工学科表面技術チームの指導の元に次のような実験を行った。
海老名市水道水２００ｃｃ（水温２２℃，導電率１８０μｓ／ｃｍ）をビーカーに採取し、その中に水の還元器１を構成するポリウレタン樹脂被覆金属線２を１２．２５７ｇ入れ、撹拌しながらＯＲＰ計（北斗電工株式会社  ＥＬＥＣＴＲＯＭＥＴＥＲ  ＨＥ１０６）及びＰＨ計（ＳＥＮＴＲＡＬＫＡＧＡＫＵ  ＣＯ．  ＨＧ３  ＤＩＧＩＴＡＬ  ＰＨ  ＭＥＴＥＲ）によって酸化還元電位とＰＨ値の経時変化をそれぞれ測定した。
【００１３】
試験結果は表１に示す。
【００１４】
【表１】
0003604203.tif 000002
上記実験では、測定開始から４時間後に酸化還元電位が６７．２ｍＶ低下すると共にＰＨが７．６８から８．３５に上昇し、水の還元器１によって水が還元されることが証明された。
【００１５】
また、田中ダイカスト株式会社のＮＣ工作機械６台の油タンク（容積約２００ｌ）にそれぞれ水の還元器１を入れると、入れないものは２か月で臭いが発生したのに対して、入れたものは４か月経過しても匂いが発生しない。
【００１６】
なお、ポリウレタン樹脂被覆金属線２を入れた水からは銅イオンが検出されないので、水の還元作用はポリウレタン樹脂被覆金属線２の表面のポリウレタン樹脂３にあるものと考えられる。また、同じくポリウレタン樹脂被覆金属線２を入れた水中からシアンイオンは検出されなかった。
【００１７】
さらに、（財）北里環境科学センターの指導により、２０ｌの水にポリウレタン樹脂被覆金属線２を４０ｇ入れて熱帯魚グッピーを飼育したが３か月以上経過して異常はなかった。
【００１８】
また、上記試験片について、ＪＩＳＫ５４００の方法に準拠して、耐酸性試験（５％硫酸）を３３６時間行い、塗膜面の変化を肉眼観察したが塗膜に異常は観察されず、耐沸騰水性試験を３時間行い、塗膜面の変化を肉眼観察したところ、塗膜にわずかの変色が認められたが、それ以外に異常は検出されなかった。
なお、数字によるデータを出すことはできないが、目視によって花瓶内の茎の腐れを抑制する効果も確認できた。
また、還元する水の容量に応じて、水の還元器１の重量を適宜変更することができる。
【００１９】
【発明の効果】
本発明の水の還元器によれば、水中に入れておくだけで水が還元されて酸化が防止されるので、ヌメリや悪臭の発生を抑制することができ、このため、次のような利点がある。
▲１▼浴槽、魚用水槽、花瓶等の水の交換頻度を少なくすることができて水資源を無駄無く有効に利用することができる。
▲２▼水洗トイレの水タンク内に入れておけば、導水管及び便器に汚れが付着するのを防ぐことができる。
▲３▼花瓶内に入れると、花の茎にヌメリが発生しにくいので導管が詰まらず、この結果、水揚げが良くなって花の寿命が延びる。
▲４▼魚用の水槽にいれると、水垢の発生を抑えることができるので魚の発育が良くなる。
▲５▼酒、飲料水の中にいれておくと味が円やかになる。
▲６▼水性切削油のタンク内にいれておけば、悪臭の発生が抑えられるので、水性切削油を長期間循環して使用することができる。
▲７▼浴槽に入れることにより、一番湯であっても皮膚への刺激が少なくなる。
▲８▼台所の流し台の網の中にいれておくと、網にヌメリが発生しない。
【００２０】
また、ポリウレタン樹脂被覆金属線は被覆が施されていない銅線のように酸化して色が黒ずむことがないので体裁が良く、構造が簡単でコストも低廉で済み、取り付け装置等が必要無いので手軽に使用することができ、しかも環境に悪影響を与える心配がない。
【００２１】
なお、ポリウレタン樹脂被覆金属線を螺旋状に多数回巻回したものを環状に湾曲して環状コイルを形成すると共に、環状コイルの内周側部分を一体に結束すると、銅線の先端が外面に現れにくくて安全性が高く、コイル部分が伸縮しないので取り扱いやすく、形状も美しい。
さらに、ポリウレタン樹脂の被膜を通して銅特有の美しい光沢を放つと共に、この光沢が保たれているかどうかでポリウレタン樹脂の被膜が維持されていることを確認できる。
【図面の簡単な説明】
【図１】本発明の実施例を示す還元器の側面図
【図２】同上の平面図
【図３】ポリウレタン樹脂被覆金属線の断面図
【図４】抗菌器の製造過程の第１段階を示す斜視図
【図５】抗菌器の製造過程の第２段階を示す斜視図
【符号の説明】
１  水の還元器
２  ポリウレタン樹脂被覆金属線
３  ポリウレタン樹脂
４  銅線
５  コイル
６  締結線
７  環状コイル
８  パイプ
【図１】
0003604203.tif 000003
【図２】
0003604203.tif 000004
【図３】
0003604203.tif 000005
【図４】
0003604203.tif 000006
【図５】
0003604203.tif 000007